(57)【特許請求の範囲】
【請求項１】
一方向に並べられて相対的に回動可能な形態で連結される複数のリンク体を有し、
前記リンク体には、前記リンク体の並び方向に対して交差する方向に貫通孔が貫通形成されるとともに、前記貫通孔の周縁部に係止する爪部を備えて前記交差方向に突出した係止突部が設けられ、
複数の前記リンク体において前記係止突部は同方向に突出しており、
前記貫通孔に前記係止突部が係止することにより前記リンク体が連結されており、
前記係止突部が、前記貫通孔を通過する際に弾性変形するものであり、
前記リンク体が、前記係止突部に対して前記弾性変形する方向と交差する方向に当接し、隣接する前記リンク体の相対的な回動角度を所定の角度に制限する角度制限部を備えている電線ガイド。
【請求項２】
前記角度制限部が、前記貫通孔が貫通形成された連結板部から前記係止突部と同方向に突出して設けられた第１角度制限部を有している請求項１に記載の電線ガイド。
【請求項３】
前記角度制限部が、前記貫通孔の内周面に形成された第２角度制限部を有している請求項１または請求項２に記載の電線ガイド。
【請求項４】
前記リンク体が、電線を内側に収容して保持する電線保持部を有し、
前記電線保持部に、前記リンク体の並び方向に対して交差する方向から前記電線を内側に収容可能な開口部が設けられている請求項１ないし請求項３のいずれか一項に記載の電線ガイド。
【請求項５】
前記電線保持部が、棒状をなす部材によってフック形状に形成されている請求項４に記載の電線ガイド。
【発明の詳細な説明】
【技術分野】
【０００１】
本発明は、電線ガイドに関する。
【背景技術】
【０００２】
従来、例えば、車体とスライドドアとの間に配索される電線のように、所定の屈曲動作が繰り返し行われる電線の動きをガイドする電線ガイドが知られている。電線ガイドは、例えば、下記特許文献１に記載のように、複数のリンク体を一方向に並べて、相対的に回動可能な形態で連結してなるものがある。この電線ガイドの各リンク体は、上下に対向する一対の連結板を有し、連結体の一端部に軸受け孔が形成され、他端部に支軸が突出して形成されている。隣り合うリンク体は、連結板の端部同士を互いに重ねるようにして並び方向に押圧されて嵌め合わされる。これにより、支軸が軸受け孔内に嵌合支持され、リンク体が相対的に回動可能に連結される。この電線ガイドは、複数のリンク体を並び方向に順に嵌合して組み立てられる。
【先行技術文献】
【特許文献】
【０００３】
【特許文献１】特開２０１４−６８４１９号公報
【発明の概要】
【発明が解決しようとする課題】
【０００４】
ところで、上記のような構成の電線ガイドは、複数のリンク体を一度に嵌合することが困難である。並べられた複数のリンク体を一度に嵌合するためには、隣接するリンク体を嵌合する力（並び方向に押圧する力）を、並び方向の端部に位置する一のリンク体に集中的に作用させなければならないからである。長尺な電線ガイドを構成する多数のリンク体を一括して嵌合するためには、端部のリンク体に大きな力を作用させなければならない。
【０００５】
本発明は上記のような事情に基づいて完成されたものであって、複数のリンク体を容易に一括嵌合することが可能な電線ガイドを提供することを目的とする。
【課題を解決するための手段】
【０００６】
本発明１の電線ガイドは、一方向に並べられて相対的に回動可能な形態で連結される複数のリンク体を有し、前記リンク体には、前記リンク体の並び方向に対して交差する方向に貫通孔が貫通形成されるとともに、前記貫通孔の周縁部に係止する爪部を備えて前記交差方向に突出した係止突部が設けられた連結板部が一のみ備えられ、複数の前記リンク体において前記係止突部は同方向に突出しており、前記貫通孔に前記係止突部が係止することにより前記リンク体が連結されているものである。
本発明２の電線ガイドは、一方向に並べられて相対的に回動可能な形態で連結される複数のリンク体を有し、前記リンク体には、前記リンク体の並び方向に対して交差する方向に貫通孔が貫通形成されるとともに、前記貫通孔の周縁部に係止する爪部を備えて前記交差方向に突出した係止突部が設けられ、複数の前記リンク体において前記係止突部は同方向に突出しており、前記貫通孔に前記係止突部が係止することにより前記リンク体が連結されており、前記係止突部が、前記貫通孔を通過する際に弾性変形するものであり、前記リンク体が、前記係止突部に対して前記弾性変形する方向と交差する方向に当接し、隣接する前記リンク体の相対的な回動角度を所定の角度に制限する角度制限部を備えているものである。
【発明の効果】
【０００７】
本発明１によれば、隣接するリンク体を並び方向と交差する方向に押圧することによって連結することができるから、複数のリンク体を容易に一括嵌合することができる。
本発明２によれば、角度制限部と当接しても係止突部が変形しないから、係止突部を利用してリンク体の回動角度を制限することができる。
【図面の簡単な説明】
【０００８】
【図１】本実施例における電線ガイドの動作を示す概略図
【図２】電線ガイドの一部を示す側面図
【図３】電線ガイドの一部を示す底面図
【図４】電線ガイドの一部を示す断面図
【図５】電線ガイドの係止構造を示す断面図
【図６】リンク体を示す斜視図
【図７】リンク体を示す正面図
【図８】リンク体を示す背面図
【図９】リンク体を示す平面図
【図１０】リンク体を示す底面図
【図１１】リンク体を示す側面図
【図１２】隣接するリンク体の回動動作を示す平面図
【図１３】隣接するリンク体の図１２とは反対側の回動動作を示す平面図
【発明を実施するための形態】
【０００９】
本発明の好ましい形態を以下に示す。
【００１０】
また、本発明２の電線ガイドは、前記角度制限部が、前記貫通孔が貫通形成された連結板部から前記係止突部と同方向に突出して設けられた第１角度制限部を有しているものとしてもよい。
また、本発明２の電線ガイドは、前記角度制限部が、前記貫通孔の内周面に形成された第２角度制限部を有しているものとしてもよい。
【００１１】
また、本発明の電線ガイドは、前記リンク体が、電線を内側に収容して保持する電線保持部を有し、前記電線保持部に、前記リンク体の並び方向に対して交差する方向から前記電線を内側に収容可能な開口部が設けられているものとしてもよい。このような構成によれば、リンク体の並び方向に対して交差する方向から電線保持部の内側に電線を収容することができるから、リンク体の並び方向に電線を通す通し作業を不要とすることができる。
【００１２】
また、本発明の電線ガイドは、前記電線保持部が、棒状をなす部材によってフック形状に形成されているものとしてもよい。このような構成によれば、リンク体を軽量化することができる。
【００１３】
＜実施例＞
以下、本発明を具体化した一実施例について、図１〜図１３を参照しつつ詳細に説明する。
本実施例における電線ガイドＧは、図１に示すように、車体（車両のボディ）Ｂと、車体Ｂに対して移動可能なスライドドアＤとの間に備えられるものである。電線ガイドＧは、スライドドアＤの開閉動作に応じて所定の形状に屈曲可能とされている。電線ガイドＧの長手方向の両端部は、車体ＢまたはスライドドアＤに備えられた固定ブラケットＦにそれぞれ固定される。以下、各構成部材において、電線ガイドＧを車両に設置したときの上側（図２における上側）を上方、下側を下方として説明する。
【００１４】
電線ガイドＧは、一方向に並べられて相対的に回動可能な形態で連結される複数のリンク体１０を有している。
各リンク体１０は、合成樹脂製であって、図３に示すように、リンク体１０の並び方向（連結方向）に長い略長円形の板状をなす連結板部１１を有している。連結板部１１は、図４に示すように、長手方向の一端側が他端側よりも上側に位置するように、長手方向の中央部に段差部１２が設けられている。以後、連結板部１１のうち上側に位置する略半分を第１連結板部１１Ｆ、下側に位置する略半分を第２連結板部１１Ｓと称する。
【００１５】
各リンク体１０の連結板部１１には、上下方向（リンク体１０の並び方向に対して交差する方向）に貫通形成された貫通孔１３と、貫通孔１３に係止可能な係止突部１４とが設けられている（図４参照）。
【００１６】
貫通孔１３は、図３に示すように、連結板部１１（第１連結板部１１Ｆ）の幅方向（短手方向）における中央部に設けられている。貫通孔１３は、第１連結板部１１Ｆのうち段差部１２とは反対側の端に寄っている。貫通孔１３は、連結板部１１の幅方向に長い形状をなし、長手方向の両端部は円弧形状をなしている。
【００１７】
係止突部１４は、図５に示すように、連結板部１１（第２連結板部１１Ｓ）の幅方向における中央部の上面に突設されている。係止突部１４は、全体として連結板部１１から上方（交差方向）に片持ち状をなして突出し、貫通孔１３を通過する際に弾性変形するものとされている。
【００１８】
係止突部１４は、第２連結板部１１Ｓの長手方向における中央部に位置している（図９参照）。係止突部１４は、全体としてリンク体１０の幅方向に長い壁状をなしている。係止突部１４のうち短手方向における両端面（図９では左右両側面）は、後述する角度制限部１９が当接可能な受け面１５とされている。受け面１５は、連結板部１１の上面に対して略直角をなして立ち上がる平坦な面とされている。受け面１５のうち段差部１２側の面は、後述する第１角度制限部１９Ｆが当接可能な第１受け面１５Ｆ、段差部１２とは反対側の面は、後述する第２角度制限部１９Ｓが当接可能な第２受け面１５Ｓとされている。
【００１９】
係止突部１４は、図７に示すように、幅方向に対向して立ち上がる一対の脚部１６を有している。各脚部１６は、上端側が自由端とされた片持ち状をなしている。各脚部１６は、略方形断面の柱状をなしている。一対の脚部１６は、リンク体１０の幅方向に対称な形状をなしている。一対の脚部１６は、内側（互いに対向する側）に弾性変形可能とされている。
【００２０】
各脚部１６の先端部には、貫通孔１３の周縁部に係止する爪部１７が設けられている。爪部１７は、各脚部１６の外側に突出している。各爪部１７の下面は、貫通孔１３の周縁部に係止する係止面１８とされ、上下方向に対して略直交する面とされている。
【００２１】
リンク体１０は、隣り合うリンク体１０の相対的な回動動作を案内するガイド部２３を備えている（図１２および図１３参照）。ガイド部２３は、第１連結板部１１Ｆの上面に突設された第１ガイド部２３Ｆと、第２連結板部１１Ｓの上面に突設された第２ガイド部２３Ｓとを備えている。
【００２２】
第１ガイド部２３Ｆは、図９に示すように、リンク体１０の長手方向の端縁に沿って設けられている。第１ガイド部２３Ｆのうち貫通孔１３に臨む面（以後、内側面２４と称する）は、貫通孔１３と同心の円弧形状をなして湾曲している。第１ガイド部２３Ｆのうち内側面２４と反対側の面（以後、外側面２５と称する）は、リンク体１０の端面に沿う円弧形状をなして湾曲している。
【００２３】
第２ガイド部２３Ｓは、段差部１２に沿って、リンク体１０の幅方向における中央部に突設されている。第２ガイド部２３Ｓの幅寸法は、第１ガイド部２３Ｆ、第１角度制限部１９Ｆおよび係止突部１４の幅寸法よりも若干大きくされている。第２ガイド部２３Ｓのうち第２連結板部１１Ｓに臨む面は、第１ガイド部２３Ｆの外側面２５に沿うように湾曲した形状の湾曲面２６とされている。
【００２４】
リンク体１０は、隣り合うリンク体１０の相対的な回動角度を所定の角度に制限する角度制限部１９を備えている（図１２および図１３参照）。角度制限部１９は、係止突部１４に対してリンク体１０の長手方向（弾性変形する方向と交差する方向）に当接するものとされている。角度制限部１９は、リンク体１０の幅方向における中央部に設けられている。角度制限部１９は、貫通孔１３を間にしてリンク体１０の長手方向に一対が設けられている。
【００２５】
一対の角度制限部１９のうちリンク体１０の長手方向の中央側に位置するもの（以後、第１角度制限部１９Ｆと称する）は、第１連結板部１１Ｆの上面に突設されている。第１角度制限部１９Ｆは、第１連結板部１１Ｆの上面に対して略垂直に立つ壁状をなしている。第１角度制限部１９Ｆの突出端の高さ位置は、図１１に示すように、係止突部１４、第１ガイド部２３Ｆおよび第２ガイド部２３Ｓの突出端の高さ位置と同等とされている。
【００２６】
第１角度制限部１９Ｆは、上方から見ると、図９に示すように、Ｖ字形状をなしている。第１角度制限部１９Ｆのうち貫通孔１３側の面は、隣接するリンク体１０が所定の相対角度になったときに係止突部１４と当接する第１当接面２１とされている。第１当接面２１は、２つの傾斜面を有し、各傾斜面は、第１角度制限部１９Ｆの幅方向における中央から端に向かって次第にリンク体１０の長手方向における中央側に位置するように傾斜している。第１当接面２１は、貫通孔１３の内周面に至って形成されており、第１当接面２１の頂点（２つの傾斜面の境界）は、貫通孔１３の幅を狭めるように突出している。第１当接面２１は、第１連結板部１１Ｆの板厚方向（上下方向）の全体にわたって形成されている。第１当接面２１の２つの傾斜面は、それぞれが、爪部１７を含む１本の脚部１６の全体（高さ方向および幅方向の全体）に当接可能な幅寸法を有している（図１２参照）。
【００２７】
一対の角度制限部１９のうちリンク体１０の長手方向の端側に位置するもの（以後、第２角度制限部１９Ｓと称する）は、図９に示すように、貫通孔１３の内周面に形成されている。第２角度制限部１９Ｓは、貫通孔１３の内側に突出して設けられ、その突出端面は、隣接するリンク体１０が所定の相対角度になったときに係止突部１４と当接する第２当接面２２とされている。第２当接面２２は、第１当接面２１と同様、２つの傾斜面を有し、各傾斜面は、第２角度制限部１９Ｓの幅方向における中央から端に向かって次第にリンク体１０の長手方向の端側に位置するように傾斜している。第２当接面２２は、第１当接面２１とリンク体１０の長手方向に対向して配されている。第２当接面２２は、貫通孔１３の貫通方向の全体にわたって形成されている。第２当接面２２は、係止突部１４の脚部１６のうち爪部１７を除く部分に当接可能とされている。
第１当接面２１または第２当接面２２の勾配を変えることにより、リンク体１０の制限角度を任意に設定することができる。
【００２８】
リンク体１０は、図５に示すように、スライドドアＤ内の図示しない電装品に給電するワイヤハーネス（電線）Ｗを内側に収容して保持する電線保持部２７を有している。電線保持部２７は、全体としてフック形状をなし、リンク体１０の長手方向の中央部に一体成形されている。電線保持部２７がフック形状に形成されることで、リンク体１０は軽量化されている。
【００２９】
電線保持部２７は、棒状をなす部材によってワイヤハーネスＷの外周側を囲うように略方形状に形成されている。詳しくは、電線保持部２７材は。第２連結板部１１Ｓの下面から下方に垂下する第１縦部２８と、第１縦部２８の下端から略水平に延びる第１横部２９と、第１横部２９の端部から上方に上がる第２縦部３１と、第２縦部３１の上端から第１縦部２８側に略水平に延びる第２横部３２とを備えている。
【００３０】
第１縦部２８は、連結板部１１の幅方向における端部から略垂直に垂下している。第１横部２９は、連結板部１１の幅寸法と同等の長さ寸法を有している。第２縦部３１は、第１縦部２８の略半分程度の長さ寸法とされている。第２横部３２は、第１横部２９の略半分程度の長さ寸法とされている。
【００３１】
電線保持部２７には、リンク体１０の側方（並び方向に対して交差する方向）からワイヤハーネスＷを内側に収容可能な開口部３３が設けられている。開口部３３は、電線保持部２７の内側と外側とに連通している。開口部３３は、連結板部１１と第２横部３２との間において幅方向（横方向）に開口する第１開口部３３Ｆと、第２横部３２の先端と第１縦部２８との間において上下方向（縦方向）に開口する第２開口部３３Ｓとを備えている。ワイヤハーネスＷは、第１開口部３３Ｆおよび第２開口部３３Ｓを順に通って電線保持部２７の内側（第２横部３２の下側）に収容される。
【００３２】
次に、本実施例の電線ガイドＧを組み付ける作業の一例を説明する。
まず、電線ガイドＧを構成する全てのリンク体１０を一列に並べる。このとき、隣接するリンク体１０のうち一方のリンク体１０の第２連結板部１１Ｓの上方に、他方のリンク体１０の第１連結板部１１Ｆが位置するようにし、貫通孔１３と係止突部１４とが上下方向に揃うように配置する。並べられたリンク体１０の連結板部１１は、端から順に少なくとも係止突部１４の突出寸法分ずつ上方にずれて配される。
【００３３】
次いで、全てのリンク体１０の嵌合箇所に下向きの力が作用するように押圧する。すると、隣接するリンク体１０の貫通孔１３と係止突部１４とが端から順に嵌合し、やがて全体が嵌合し終わる。このとき、リンク体１０の嵌合箇所では、係止突部１４の爪部１７が貫通孔１３の周縁部に当接して脚部１６が貫通孔１３の内側に弾性変形し、貫通孔１３が爪部１７の下方に通過すると、脚部１６が弾性復帰して爪部１７が貫通孔１３の周縁部の上面側に係止した状態になる。こうして、すべてのリンク体１０が一括して連結される。このとき、すべてのリンク体１０の連結板部１１の高さ位置が全体にわたって揃った状態、言い換えると、電線ガイドＧが水平方向に延びた状態になる。
【００３４】
連結されたリンク体１０は、図１２および図１３に示すように、相対的に回動可能な形態となっている。具体的には、隣接するリンク体１０は、第１ガイド部２３Ｆの外側面２５と第２ガイド部２３Ｓの湾曲面２６とを沿わせながら回動する。隣接するリンク体１０の相対的な角度が所定の角度になると、第１角度制限部１９Ｆの第１当接面２１の一方の傾斜面が、一対の脚部１６のうち一方の脚部１６の第１受け面１５Ｆに当接するとともに、第２角度制限部１９Ｓの第２当接面２２の一方の傾斜面が、他方の脚部１６の第２受け面１５Ｓに当接する。こうして、隣接するリンク体１０のそれ以上の回動が制限される。なお、隣接するリンク体１０の回動時には、係止突部１４の爪部１７は第１ガイド部２３Ｆの内側面２４に沿って変位する。
【００３５】
次に、組み立てられた電線ガイドＧにワイヤハーネスＷを保持させる。電線の端末部に図示しないコネクタや端子金具を付けた状態のワイヤハーネスＷを、開口部３３を介して電線保持部２７の内側に収容する。このように、開口部３３からワイヤハーネスＷを電線保持部２７の内側に通すことができるので、従来のように、ワイヤハーネスＷを電線ガイドＧの長手方向に通す作業を不要とすることができる。したがって、電線通し作業をするべく、電線の端末部に接続された端子金具を保護チューブ等によって保護する作業が不要となる。また、ワイヤハーネスの径寸法が大きくなるのを防ぐべく、電線の長さ寸法を調整して端子金具の位置を長手方向にずらす等の設計的配慮が不要となる。
以上により、電線ガイドＧの組み付け作業が完了する。
【００３６】
次に、上記のように構成された実施例の作用および効果について説明する。
本実施例の電線ガイドＧは、一方向に並べられて相対的に回動可能な形態で連結される複数のリンク体１０を有し、リンク体１０には、上下方向に貫通孔１３が貫通形成されるとともに、貫通孔１３の周縁部に係止する爪部１７を備えて上方に突出した係止突部１４が設けられており、貫通孔１３に係止突部１４が係止することによりリンク体１０が連結されている。
【００３７】
この構成によれば、各嵌合箇所を上下方向に押圧することによってリンク体１０を連結することができるから、複数のリンク体１０を容易に一括嵌合することができる。
【００３８】
また、係止突部１４が、貫通孔１３を通過する際に弾性変形するものであり、リンク体１０が、係止突部１４に対して弾性変形する方向と交差する方向に当接し、隣接するリンク体１０の相対的な回動角度を所定の角度に制限する角度制限部１９を備えている。この構成によれば、角度制限部１９と当接しても係止突部１４が変形しないから、係止突部１４を利用してリンク体１０の回動角度を制限することができる。
【００３９】
また、リンク体１０が、ワイヤハーネスＷを内側に収容して保持する電線保持部２７を有し、電線保持部２７に、側方からワイヤハーネスＷを内側に収容可能な開口部３３が設けられている。この構成によれば、側方から電線保持部２７の内側にワイヤハーネスＷを収容することができるから、リンク体１０の並び方向にワイヤハーネスＷを通す作業を不要とすることができる。
【００４０】
＜他の実施例＞
本発明は上記記述及び図面によって説明した実施例に限定されるものではなく、例えば次のような実施例も本発明の技術的範囲に含まれる。
（１）上記実施例では、係止突部１４が一対の脚部１６を有しているが、これに限らず、例えば係止突部の脚部は１本のみ、または３本以上であってもよい。
（２）上記実施例では、係止突部１４の脚部１６が、貫通孔１３を通過する際に弾性変形するものとされているが、これに限らず、貫通孔を通過する際に脚部が弾性変形せず、係止突部の爪部が弾性変形するものとしてもよい。
（３）上記実施例では、電線ガイドＧを構成するすべてのリンク体１０を一括嵌合するものとしているが、これに限らず、電線ガイドを構成するリンク体を複数個ずつ一括嵌合してからそれらを連結するものとしてもよい。
（４）上記実施例では、角度制限部１９が係止突部１４に当接するものとしているが、これに限らず、角度制限部が係止突部ではない他の部位に当接して角度を制限する構造としてもよい。
（５）上記実施例では、電線保持部２７が開口部３３を備えているが、これに限らず、電線保持部は、全周が閉じた形状のものであってもよい。
（６）上記実施例では、電線保持部２７の開口部３３が側方に開口しているが、これに限らず、例えば下方に開口する開口部を電線保持部に設けてもよい。
（７）上記実施例では、電線保持部２７が棒状をなす部材によって形成されているが、これに限らず、電線保持部が壁状をなす部材によって略箱型に形成されていてもよい。
（８）上記実施例では、連結板部１１に段差部１２が形成されているが、これに限らず、連結板部は全体において高低差のないフラットな形状であってもよい。
（９）上記実施例では、連結板部１１の下側に電線保持部２７が備えられているが、これに限らず、例えば連結板部の上側に電線保持部が備えられていてもよく、そのような場合には、係止突部を連結板部の下面に垂下して設けてもよい。
（１０）上記実施例では、電線保持部２７が連結板部１１に一体成形されているが、これに限らず、例えば電線保持部と連結板部とを別体で成形した後、組み付けにより一体化するものとしてもよい。
（１１）上記実施例では、角度制限部１９が、第１角度制限部１９Ｆおよび第２角度制限部１９Ｓを備えているが、これに限らず、いずれか一方のみを備えるものとしてもよい。
（１２）上記実施例では、各リンク体１０の第１縦部２８は下方に同じ長さだけ垂下しているが、これに限らず、各リンク体の並び方向で垂下する長さを変えていてもよい。
【符号の説明】
【００４１】
Ｇ…電線ガイド
Ｗ…ワイヤハーネス（電線）
１０…リンク体
１１…連結板部
１３…貫通孔
１４…係止突部
１７…爪部
１９…角度制限部
１９Ｆ…第１角度制限部
１９Ｓ…第２角度制限部
２７…電線保持部
【図１】
0006501120.tif 000002
【図２】
0006501120.tif 000003
【図３】
0006501120.tif 000004
【図４】
0006501120.tif 000005
【図５】
0006501120.tif 000006
【図６】
0006501120.tif 000007
【図７】
0006501120.tif 000008
【図８】
0006501120.tif 000009
【図９】
0006501120.tif 000010
【図１０】
0006501120.tif 000011
【図１１】
0006501120.tif 000012
【図１２】
0006501120.tif 000013
【図１３】
0006501120.tif 000014